(57)【特許請求の範囲】
【請求項１】
室内と室外とを隔てる壁の壁穴に室内側を開口させて配設され、室内と室外とを結ぶ給気通風路と排気通風路とを内部に形成する本体ケーシングと、
前記本体ケーシング内に左右に配置され、前記給気通風路と排気通風路との間で熱交換する熱交換器と、
前記熱交換器同士の間にそれぞれの熱交換器の稜部と当接するように設けられ、上側を前記各熱交換器の給気吐出面と連通する給気室、下側を前記各熱交換器の排気吐出面と連通する排気室にそれぞれ区画する仕切板と、
前記給気室と連通状態にその上方に配設された給気用送風機と、
前記排気室と連通状態にその下方に配設された排気用送風機と、
前記各熱交換器の外側上方に形成され、前記各熱交換器の排気吸込面と室内排気口とに連通する室内吸込側室と、
前記各熱交換器の内側上方にそれぞれの熱交換器と当接するように設けられ、前記各熱交換器の給気吐出面と室内給気口とに連通する室内吐出側室を形成する給気用送風機の羽根ケーシングと、
前記各熱交換器の外側下方にそれぞれの熱交換器と当接するように設けられ、前記各熱交換器の給気吸込面と室外給気口とに連通する室外吸込側室を形成する排気用送風機の羽根ケーシングと、
前記各熱交換器の内側下方に形成され、前記各熱交換器の排気吐出面と室外排気口とに連通する室外吐出側室と、
を備える空調換気扇。
【請求項２】
前記給気用送風機の羽根ケーシングの下面および前記排気用送風機の羽根ケーシングの上面に前記熱交換器の稜部と当接するガイドを備えたことを特徴とする請求項１記載の空調換気扇。
【請求項３】
前記熱交換器、仕切板、給気用送風機および排気用送風機は、前記排気用送風機の羽根ケーシングおよび給気用送風機の羽根ケーシングで前記熱交換器を挟持した状態で前記本体ケーシングの室内開口から挿脱可能にしたことを特徴とする請求項１記載の空調換気扇。
【請求項４】
前記給気用送風機の羽根ケーシングの下面と前記排気用送風機の羽根ケーシングの上面とを前記熱交換器の稜部に当接させて挟持し、前記熱交換器及び羽根ケーシングは前記本体ケーシング内に収納されることで前記熱交換器の稜部が気密の当接状態となることを特徴とする請求項１又は３記載の空調換気扇。
【請求項５】
前記左右の熱交換器の間に前記排気用送風機及び給気用送風機に共通のモータを備えたことを特徴とする請求項３記載の空調換気扇。
【請求項６】
前記排気用送風機及び給気用送風機のモータを前記仕切板に固定したことを特徴とする請求項３記載の空調換気扇。
【請求項７】
前記熱交換器を直交式とするとともに積層方向が奥行方向に平行になるよう配置し、給気吸込面および排気吸込面に一体的に跨り、室内側から引き出し可能なフィルター枠を備えたことを特徴とする請求項１記載の空調換気扇。
【請求項８】
前記室外給気口の周囲に結露水を逃がすリブを設けたことを特徴とする請求項１記載の空調換気扇。
【請求項９】
前記リブを前記室外排気口に向け、結露水を前記室外排気口から排水することを特徴とする請求項８記載の空調換気扇。
【請求項１０】
前記本体ケーシングの室外側内壁隅部に前記リブに向かって傾斜し、結露水をリブ上に導く切欠部を形成したことを特徴とする請求項８記載の空調換気扇。
【発明の詳細な説明】
【０００１】
【発明の属する技術分野】
この発明は給排気間で熱交換を行なう空調換気扇に関するものである。
【０００２】
【従来の技術】
図９は例えば特開昭６２−９４７４６号公報に示された従来の空調換気扇を示す断面図である。図において、６は熱交換素子２９および熱交換素子２９の各稜部を保持し一次気流と二次気流との混合を防止するフレーム２６からなる熱交換器である。本体ケーシング１は給気用羽根１２と給気用送風機１３と排気用羽根８を内蔵し、前記熱交換器６の側面部を対角上で２分割した三角形状の切欠部を設けた壁２８、室外吸気口１０、室外排気口３を有している。４は本体ケーシング１の室内側に着脱自在に設けられ、且つ、装着時に本体ケーシング１の三角形状の切欠部を設けた壁２８と突き合って熱交換器６の側面部と同一形状をなす三角形状の切欠部を設けた壁２８、室内排気口２、室内吸気口１１を有するルーバである。
【０００３】
また、図１０は例えば特開昭５７−１５３１３６号公報に示された従来の空調換気扇を示す分解斜視図で、本体ケーシング１に組込む各部品の関係を説明するため本体ケーシング１の背面側より見た状態を示す。図において、本体ケーシング１は前面を開放して箱状に構成されており、背面には通気口が開いている。このように構成した箱状の本体ケーシング１にはモータ取付け枠４を給気用送風機１３と中間ケース２４および排気用送風機９で挟み重ねた組み上げ品が本体ケーシング１の開口部より本体ケース内に挿入され収められている。また、図示しない回転ドラム式の熱交換器が本体ケーシングの開口部を覆うように配置されている。
【０００４】
また、図１１は例えば実開昭６０−１７８７３５号公報に示された従来の空調換気扇の熱交換器を示す側面図、図１２は同空調換気扇の部分斜視図である。図において、１は本体ケーシングで、熱交換器６は本体ケース１に設けられた挿入孔に一端を露出させて挿脱自在に挿入されている。熱交換器６の角部にはフレーム２６を設け、熱交換器６の給気吸込側および排気吸込側においてフレーム２６にそれぞれ案内レール２５を熱交換器６の長手方向と平行に取付ける。案内レール２５の間には空気清浄用のフィルター５を挿脱自在に挿入する。
【０００５】
また、図１３は例えば実開昭５７−１３４５１９号公報に示された従来の空調換気扇を示す斜視図である。図において、１は本体ケーシング、４は仕切板で、仕切板４には上方の給気用送風機１３と下方の排気用送風機９とに共通の即ちこれら両送風機の羽根１２、８を回転駆動する共通のモータ７を備えている。
ここで、フレーム２６の各先端部は各々熱交換器６の稜部が嵌まるＶ字状をなすものであり、中でも最下部のフレーム２６は他のものよりも深いＶ字状を成し、これによって熱交換器６の下稜部との間に空間を余す溝部２９を形成し、この溝部２９は機外、中でも公報の室外側に向かって漸降状を成し、その先方の本体ケーシング１背面には排水口を形成している。
【０００６】
また、別の従来例として、図１４は本体ケーシング１を示す斜視図であり、図において、室外側に室外給気口１０と室外排気口２１とを備えている。
【０００７】
【発明が解決しようとする課題】
従来の空調換気扇は以上のように構成されていたので、特開昭６２−９４７４６号公報のものでは、熱交換器がケーシングによって保持されるだけで、通風路の確保はケーシングが全て担っていた。さらに、熱交換器が熱交換素子とフレームの２つの機能部品から構成されており、その熱交換器を排気用送風機と、モータと仕切板と、給気用送風機で支える構成であり、熱交換器のフレームを別工程準備しなければならなかった。
【０００８】
また、特開昭５７−１５３１３６号公報のものでは、排気用送風機と、モータと仕切板と、給気用送風機の３段構成に加えて、熱交換器の組付けを別に行なうものであり、中段は排気通風路および給気通風路とは関係しない中間ケースで空間を保持しなければならなかった。
【０００９】
また、実開昭６０−１７８７３５号公報のものでは、給気側のフィルターと排気側のフィルターとを別々に取り出し清掃しなければならないため、清掃の手間がかかり、また、どちらか一方のフィルターだけ掃除してもう一方を掃除し忘れると、給気と排気との風量バランスが崩れてしまうという問題点があった。
【００１０】
また、実開昭５７−１３４５１９号公報のものでは、排水性を向上させるという目的の発明ではあるが、給気の冷気による結露水の凍結を防止する目的ではなかった。
【００１１】
また、図１４に示した従来の本体ケーシングでは、冬期に空調換気扇を運転すると本体ケーシング内側に結露水が発生し、その結露水が垂れて室外給気口までくると、外気の冷気により冷やされて氷となり、シャッターの開閉を妨げたり、風路を狭くしてしまうという問題点があった。
【００１２】
この発明は上記のような課題を解決するためになされたもので、組立性がよく、コンパクトな空調換気扇を得ることを目的とする。
また、メンテナンス性のよい空調換気扇を得ることを目的とする。
また、結露水の凍結を防止すべく排水性を向上させた空調換気扇を得ることを目的とする。
【００１３】
【課題を解決するための手段】
室内と室外とを隔てる壁の壁穴に室内側を開口させて配設され、室内と室外とを結ぶ給気通風路と排気通風路とを内部に形成する本体ケーシングと、本体ケーシング内に左右に配置され、給気通風路と排気通風路との間で熱交換する熱交換器と、熱交換器同士の間にそれぞれの熱交換器の稜部と当接するように設けられ、上側を各熱交換器の給気吐出面と連通する給気室、下側を各熱交換器の排気吐出面と連通する排気室にそれぞれ区画する仕切板と、給気室と連通状態にその上方に配設された給気用送風機と、排気室と連通状態にその下方に配設された排気用送風機と、各熱交換器の外側上方に形成され、各熱交換器の排気吸込面と室内排気口とに連通する室内吸込側室と、各熱交換器の内側上方にそれぞれの熱交換器と当接するように設けられ、各熱交換器の給気吐出面と室内給気口とに連通する室内吐出側室を形成する給気用送風機の羽根ケーシングと、各熱交換器の外側下方にそれぞれの熱交換器と当接するように設けられ、各熱交換器の給気吸込面と室外給気口とに連通する室外吸込側室を形成する排気用送風機の羽根ケーシングと、各熱交換器の内側下方に形成され、各熱交換器の排気吐出面と室外排気口とに連通する室外吐出側室と、を備える。
【００１４】
また、前記給気用送風機の羽根ケーシングの下面および前記排気用送風機の羽根ケーシングの上面に前記熱交換器の稜部と当接するガイドを備えたものである。
【００１５】
また、前記熱交換器、仕切板、給気用送風機および排気用送風機は、前記排気用送風機の羽根ケーシングおよび給気用送風機の羽根ケーシングで前記熱交換器を挟持した状態で前記本体ケーシングの室内開口から挿脱可能にしたものである。
【００１６】
また、前記給気用送風機の羽根ケーシングの下面と前記排気用送風機の羽根ケーシングの上面とを前記熱交換器の稜部に当接させて挟持し、前記熱交換器及び羽根ケーシングは前記本体ケーシング内に収納されることで前記熱交換器の稜部が気密の当接状態となるものである。
【００１７】
また、前記左右の熱交換器の間に前記排気用送風機及び給気用送風機に共通のモータを備えたものである。
【００１８】
また、前記排気用送風機及び給気用送風機のモータを前記仕切板に固定したものである。
【００１９】
また、前記熱交換器を直交式とするとともに積層方向が奥行方向に平行になるよう配置し、給気吸込面および排気吸込面に一体的に跨り、室内側から引き出し可能なフィルター枠を備えたものである。
【００２０】
また、前記室外給気口の周囲に結露水を逃がすリブを設けたものである。
【００２１】
また、前記リブを前記室外排気口に向け、結露水を前記室外排気口から排水するものである。
【００２２】
また、前記本体ケーシングの室外側内壁隅部に前記リブに向かって傾斜し、結露水をリブ上に導く切欠部を形成したものである。
【００２３】
【発明の実施の形態】
以下、この発明の実施の形態を図について説明する。図１はこの発明の空調換気扇を示す側断面図、図２は同正面断面図、図３は同部分斜視図、図４は同背面図、図５は同正面図、図６は同分解斜視図、図７は熱交換器の挿脱状態を示す斜視図、図８は同透視斜視図である。図において、１は壁を貫通する壁穴に木枠を介して固定された空調換気扇の本体ケーシングで、内部には室内側側面に形成された室内排気口２と室外側側面に形成された室外排気口２１とを結ぶ排気通風路、並びに室外側側面に形成された室外給気口１０と室内側側面に形成された室内給気口１１とを結ぶ給気通風路が区画形成されている。
【００２４】
６は長手方向が室内と室外とを結ぶ壁穴貫通方向となるよう左右に並列配置され、排気通風路と給気通風路との間で熱交換を行なう直交型の熱交換器で、断面平行四辺形状をし、各風路面が所定の角度で傾斜するように配設されている。４は左右の熱交換器６の対向する稜線同士を結ぶように設けられ、上側を各熱交換器６の給気吐出面と連通する給気室４０に、下側を各熱交換器６の排気吐出面と連通する排気室４１にそれぞれ区分する仕切板、９は排気通風路に設けられ、モータ７により駆動される排気用羽根８を備えた排気用送風機、１３は給気通風路に設けられ、モータ７により駆動される給気用羽根１２を備えた給気用送風機である。
【００２５】
３１は給気用送風機１３の羽根ケーシング下面および排気用送風機９の羽根ケーシング上面にそれぞれ形成されたガイドで、各熱交換器６の上および下稜部が当接するとともに、メンテナンス時にはこのガイドを摺動して室内側の開口からの挿脱を可能にする。５は熱交換器６の排気吸込面に設けられた排気用フィルター５ａおよび給気吸込面に設けられた給気用フィルター５ｂを一体的に保持するフィルター枠で、室内側には室内空気と室外空気との混合を防ぐ仕切部３３が設けられると共に、フィルター枠５を室内側へ引き出すための取っ手３２が設けられている。
【００２６】
５０は各熱交換器６の外側上方に形成され、各熱交換器６の排気吸込面と室内排気口２とに連通する室内吸込側室、５１は各熱交換器６の内側上方に形成され、各熱交換器６の給気吐出面と室内給気口１１とに連通する室内吐出側室、５２は各熱交換器６の外側下方に形成され、各熱交換器６の給気吸込面と室外給気口１０とに連通する室外吸込側室、５３は各熱交換器６の内側下方に形成され、各熱交換器６の排気吐出面と室外排気口２１とに連通する室外吐出側室、５４は室外吐出側室５３の室内側に配設され、空調換気扇の制御等を行なう回路ボックスである。
【００２７】
２２は排気室４１と室内との間を仕切る開閉式のバイパスダンパで、回路ボックス５４内の制御手段により図示しない開動モータを駆動制御することにより下端の回動軸中心に排気室４１側へ倒れ込むことで自動的に開動し室内側の排気バイパス口５５を形成し、制御手段からの制御に基づき開動モータの付勢力を解除することにより図示しないばねの付勢力で閉方向へ付勢される。２３は本体ケーシング１の室外側側壁中央下部に形成された室外排気口２１及び室外排気口２１の左右に形成された室外側給気口１０を一括して開閉する一枚のシャッタで、回路ボックス５４内の制御手段により図示しない開閉モータを駆動制御することにより上下方向に移動し、自動的に開閉が行われる。
【００２８】
３０は室内側を覆う格子状のグリルである。グリル３０は外面的には連続した格子状であるが、裏面は室内排気口２、室内側の排気バイパス口５５及び室内給気口１１を区画するよう図示しないリブが設けられ、このリブはグリル３０において、室内排気口２及び室内側の排気バイパス口５５が室内給気口１１より下方に位置するとともに、排気バイパス口５５の中心が室内排気口２の中心より上方に位置するよう区画している。
【００２９】
３４は本体ケーシング１内側の室外側側壁の隅部に形成された切欠部で、下方へ向かって深くなるよう数段にわたって形成されている。３５は本体ケーシング１内側の室外側側壁に切欠３４から室外排気口２１へ向かって下り勾配となるよう形成された背面リブで、先端が室外排気口２１上に位置する。尚、切欠部３４の先端は背面リブ３５側に向かって先細りする形状に形成されている。３６は本体ケーシング１内側の壁側側壁に形成された段差部で、室外給気口１０によって室外排気口２１へ導けない高さの結露水や本体ケーシング１内側の壁側側壁の結露水を室外給気口１０から離れた位置に導くよう室内側へ向かって下り勾配となるよう形成されている。
【００３０】
次に空調換気扇の組み立てについて説明する。仕切板４は中央にモータ７取付け用の穴が穿設されており、ここにモータ７を嵌入して仕切板にネジ等により固定する。次に断面四辺形状の熱交換器６の稜部の一つを仕切板４の端面に当接させた状態で排気用送風機９の羽根ケーシングおよび給気用送風機１３の羽根ケーシングを上下より熱交換器６を挟持するよう当接させる。その際、熱交換器６の上側の稜部を給気用送風機１３の羽根ケーシング下面に形成されたガイド３１に、下側の稜部を排気用送風機９の羽根ケーシング上面に形成されたガイド３１にはめこむようにする。
【００３１】
その後羽根ケーシングに突き出たモータ７の軸に排気用羽根８および給気用羽根１２を固定する。この状態では、熱交換器６等は固定されていないが、排気用羽根８および給気用羽根１２は離脱したり落下することはないので、各羽根ケーシングを両側から熱交換器６を挟むように持てば、組立品がばらけることはない。このようにして組み立てた内部品を本体ケーシング１の室内側開口よりケーシング内に一括して挿入することで、本体ケーシング１が周囲を規制し、内部組立品のばらけを防止する。
【００３２】
このような組み立てを行なうことにより、従来本体ケーシング内に一つづつ部品を組み付けて行く場合と異なり、周囲を規制するものがないまま内部部品の組み立てが行なえるので、作業性が格段に向上する。また、挿入状態では、熱交換器６の各稜部が各部材に当接することで上下および左右方向のスペーサとしての役割も兼ね、しかも中段が排気通風路および給気通風路の熱交換部として使用できるから、空間の有効活用もでき、装置全体をコンパクトにできる。
【００３３】
また、ガイド３１を羽根ケーシングに形成することで、従来羽根ケーシングを別体で取り付けていた場合に比し、部品点数が減らせ、組立性が向上するとともに、ガイド３１の気密性が高いことから、熱交換器６の稜部のフレームを廃止することができる。
また、送風機のモータ７を２つの熱交換器６間の仕切板４に固定することで、モータ７を通風路に面して配置できるから、モータ７の発熱を効率的に冷却することができる。
【００３４】
また、組立品を本体ケーシング１内に挿入するだけで周囲が規制され、熱交換器６と羽根ケーシング等が気密に密着されるから、これら内部部品を本体ケーシングの強固に固定する必要がなく、本体ケーシング１との挿脱をより簡易なものにすることができる。
しかも、これらが本体ケーシング１の室内側開口から一括して挿脱できるので、壁取付後のメンテナンス時等において、本体ケーシング１を壁穴に取付けたまま、内部部品だけを容易に取り出すことが可能になる。
【００３５】
次に熱交換換気運転時の動作について説明する。熱交換換気運転を行なう場合、運転スイッチをＯＮすることにより回路ボックス５４内の制御手段がシャッタ２３の開閉モータに回動指示し、この開閉モータの回転駆動によりシャッタ２３が開方向に移動する。この結果、室外給気口１０及び室外排気口２１が開放される。次いで制御手段からの指示によりモータ７が所定の回転数に制御され、これにより排気用送風機９の排気用羽根８、給気用送風機１３の給気用羽根１２がそれぞれ回転し、排気通風路及び給気通風路にそれぞれ排気流、給気流が発生する。
【００３６】
排気流は室内から室内排気口２に吸い込まれ、室内吸込側室５０、熱交換器６、排気室４１、室外吐出側室５３の排気用送風機９を通り室外排気口２１から室外へと至る。給気流は室外から室外給気口１０に吸い込まれ、室外吸込側室５２、熱交換器６、給気室４０、室内吐出側室５１の給気用送風機１３を通り室内給気口１１から室内へと至る。その際、各熱交換器６にて排気流と給気流の間で熱交換或は熱湿交換が行われる。運転停止時は逆の順序で停止していく。
【００３７】
室内空気は室内排気口２に吸い込まれる際、リブで区画された対応するグリル３０の吸込口から取り込まれるが、グリル３０においては、室内排気口２に対応する吸込口が十分下側まで拡大されているため、グリルの下部付近から室内空気を捕捉することができる。この結果、従来の室内排気口２に臨んで吸込口が形成されていた場合と異なり、捕捉し切れなかったタバコの煙等が室内排気口２上方の室内給気口１１から逆流するように見える現象がより低減される。
【００３８】
また、タバコ等の一般的な室内空気の汚れに対して、排気風量を大きくする運転（以下大排気量運転と呼ぶ）を行なう場合、上記熱交換換気運転と同様の動作が行われるが、シャッタ２３が開放した後、制御手段からの指示によりバイパスダンパの開モータが駆動し、これによりバイパスダンパ２２が排気室４１内へ倒れ、排気バイパス口５５が開放される。それと同時またはその後に排気用送風機９及び給気用送風機１３が回転することにより、排気流は上記熱交換換気運転時のルートの他、排気バイパス口５５から直接室内空気が排気室４１へ取り込まれ、熱交換器６の通過抵抗を受けることなく大風量排気が行われる。
【００３９】
室内空気は排気バイパス口５５及び室内排気口２に吸い込まれる際、リブで区画された対応するグリル３０の吸込口から取り込まれる。大部分の排気は排気バイパス口５５から取り込まれ、そこで捕捉し切れなかった分は、排気バイパス口５５よりも上方にある室内排気口２にて捕捉することができる。しかも室内排気口２は室内給気口１１の左右に形成されているため、タバコの煙等は室内給気口１１の左右へ誘引される。この結果、排気バイパス口５５で捕捉し切れなかったタバコの煙等が室内排気口２上方の室内給気口１１から逆流するように見える現象がより低減される。
【００４０】
上記のような構成とすることにより、室内側及び室外側の排気口及び給気口を並列に形成することができるので、排気通風路及び給気通風路の開閉シャッタを一枚の共通したシャッタで構成でき、簡単且つ安価な構成とすることができる。  また、バイパスダンパを排気室の室内側の隔壁を兼ねて設けることで、特別なバイパス風路や送風機がなくても熱交換換気とバイパス換気とが行なえる。
また、室外吐出側室５３の室内側寄りに回路ボックス５４を配置したので、排気バイパス口５５から回路ボックス５４のメンテナンスが容易に行なえる。
【００４１】
また、熱交換器６を壁穴方向に貫通するように配置し、室内側及び室外側の排気口及び給気室を熱交換器の稜線の長さ方向に水平併行するようにしたので、熱交換器の長さ方向によって熱交換器の吸込及び吐出面積（表面積）が確保でき、壁穴を大きくすることなく低圧損で十分な熱交換性能が確保できる。
また、実質的な室内排気口及び排気バイパス口が室内給気口より下方に位置するとともに、排気バイパス口の中心が室内排気口の中心より上方に位置するので、熱交換換気運転時および大排気量運転時における排気の捕捉がより確実に行なえるようになる。
尚、排気バイパス口と同様な構成で給気バイパス口を給気室４０の室内側隔壁に形成し、バイパスダンパで開閉してもよい。
【００４２】
さらに、図２、図６のように熱交換器６の排気吸込側及び給気吸込側に排気用フィルター５ａ及び給気用フィルター５ｂを付けた場合、これらフィルター５ａ及び５ｂを容易に取り出すことができる。この場合、図７に示すように、室内側のグリル３０を開放し、フィルター枠５の取っ手３２をもって室内側に引き出せば簡単に取り出せる。しかも取り出したところは室内空間なので、フィルター挿脱用の空間を特別に確保する必要がない。また、本構成によれば、室内側に特に遮る構成物が存在しないので、メンテナンス作業が容易に行なえる。
【００４３】
また、冬期に熱交換換気運転または大排気量運転を行なうと、本体ケーシング１の外側は外気にされされており、内側は室内空気が通っているために、本体ケーシング１の内側に結露水が発生する。その結露水は本体ケーシング１内壁を伝って下に落ちていくが、その際、リブ３５が結露水を室外排気口２１の方へ導くので、結露水は室外排気口２１から排気流の力で室外へ吹き飛ばされ、排出される。
【００４４】
また、リブ３５で捕捉できない本体ケーシング内壁の室外側側壁隅部の結露水は、先端がリブ３５に向かって先細りする切欠部３４によってリブ３５方向へ集約されリブ３５に滴下する。後はリブ３５に沿って上述と同様に室外排気口２１から室外へ排出される。さらに、本体ケーシング１内壁のうち壁側の側壁面に発生した結露水や、室外側の側壁であっても室外給気口１０の関係で傾斜したリブ３５で捕捉できない高さに発生する結露水は、室外給気口１０直上の切欠部３４および段差部３６によって室外給気口１０から離れた場所へ導くことにより、結露水が凍ったり、その結果シャッタ２３が開閉できなくなることを防止する。
【００４５】
【発明の効果】
室内と室外とを隔てる壁の壁穴に室内側を開口させて配設され、室内と室外とを結ぶ給気通風路と排気通風路とを内部に形成する本体ケーシングと、本体ケーシング内に左右に配置され、給気通風路と排気通風路との間で熱交換する熱交換器と、熱交換器同士の間にそれぞれの熱交換器の稜部と当接するように設けられ、上側を各熱交換器の給気吐出面と連通する給気室、下側を各熱交換器の排気吐出面と連通する排気室にそれぞれ区画する仕切板と、給気室と連通状態にその上方に配設された給気用送風機と、排気室と連通状態にその下方に配設された排気用送風機と、各熱交換器の外側上方に形成され、各熱交換器の排気吸込面と室内排気口とに連通する室内吸込側室と、各熱交換器の内側上方にそれぞれの熱交換器と当接するように設けられ、各熱交換器の給気吐出面と室内給気口とに連通する室内吐出側室を形成する給気用送風機の羽根ケーシングと、各熱交換器の外側下方にそれぞれの熱交換器と当接するように設けられ、各熱交換器の給気吸込面と室外給気口とに連通する室外吸込側室を形成する排気用送風機の羽根ケーシングと、各熱交換器の内側下方に形成され、各熱交換器の排気吐出面と室外排気口とに連通する室外吐出側室と、を備えるので、組立性がよく安価でコンパクトにできる効果が得られる。
【００４６】
また、前記給気用送風機の羽根ケーシングの下面および前記排気用送風機の羽根ケーシングの上面に前記熱交換器の稜部と当接するガイドを備えたので、簡単な構成で熱交換器の稜部を気密保持できる効果が得られる。
【００４７】
また、前記熱交換器、仕切板、給気用送風機および排気用送風機は、前記排気用送風機の羽根ケーシングおよび給気用送風機の羽根ケーシングで前記熱交換器を挟持した状態で前記本体ケーシングの室内開口から挿脱可能にしたので、内部組立後ケーシングに一括挿入が可能になり、組立性、メンテナンス性が向上する効果が得られる。
【００４８】
また、前記給気用送風機の羽根ケーシングの下面と前記排気用送風機の羽根ケーシングの上面とを前記熱交換器の稜部に当接させて挟持し、前記熱交換器及び羽根ケーシングは前記本体ケーシング内に収納されることで前記熱交換器の稜部が気密の当接状態となるよう構成したので、簡単な組み立て作業によって通風路の気密保持や隔絶が行なえる効果が得られる。
【００４９】
また、前記左右の熱交換器の間に前記排気用送風機及び給気用送風機に共通のモータを備えたので、送風機の羽根をモータ軸に固定することで、全体のばらけが規制され、本体ケーシングからの挿脱作業が容易になるとともに、モータが熱交換器間の風路上に存在することで冷却が行なえる効果が得られる。
【００５０】
また、前記排気用送風機及び給気用送風機のモータを前記仕切板に固定したので、モータを本体ケーシングに固定する必要がなく、内部部品の挿脱がより簡単に行なえる効果が得られる。
【００５１】
また、前記熱交換器を直交式とするとともに積層方向が奥行方向に平行になるよう配置し、給気吸込面および排気吸込面に一体的に跨り、室内側から引き出し可能なフィルター枠を備えたので、フィルタの着脱が容易になるとともに、一方のフィルターの清掃のし忘れによる給排気のアンバランスを防止できる効果が得られる。
【００５２】
また、前記室外給気口の周囲に結露水を逃がすリブを設けたので、結露水が室外給気口付近で凍りつき、風路抵抗となることを防止できる効果が得られる。また、室外給気口にシャッタを有するものにおいては、凍りついた結露水によってシャッタの開閉が妨げられることを防止できる効果が得られる。
【００５３】
また、前記リブを前記室外排気口に向け、結露水を前記室外排気口から排水するので、極端に温度が低下することのない室内からの排気によって、結露水が凍ることなく確実に排出できる効果が得られる。
【００５４】
また、前記本体ケーシングの室外側内壁隅部に前記リブに向かって傾斜し、結露水をリブ上に導く切欠部を形成したので、本体ケーシングの隅部に発生する結露水もより確実に捕捉し、排出できる効果が得られる。
【図面の簡単な説明】
【図１】  この発明の実施の形態における空調換気扇を示す側断面図である。
【図２】  この発明の実施の形態における空調換気扇を示す正面断面図である。
【図３】  この発明の実施の形態における空調換気扇を示す斜視図である。
【図４】  この発明の実施の形態における空調換気扇を示す背面図である。
【図５】  この発明の実施の形態における空調換気扇を示す正面図である。
【図６】  この発明の実施の形態における空調換気扇を示す分解斜視図である。
【図７】  この発明の実施の形態における空調換気扇を示す斜視図である。
【図８】  この発明の実施の形態における空調換気扇を示す透視斜視図である。
【図９】  従来の空調換気扇を示す側断面図である。
【図１０】  従来の空調換気扇を示す分解斜視図である。
【図１１】  従来の熱交換器を示す断面図である。
【図１２】  従来の空調換気扇を示す部分斜視図である。
【図１３】  従来の空調換気扇を示す断面斜視図である。
【図１４】  従来の本体ケーシングを示す透視斜視図である。
【符号の説明】
１  本体ケーシング、  ２  室内排気口、  ５  フィルター枠、  ６  熱交換器、  ７  モータ、  ９  排気用送風機、  １０  室外給気口、  １１  室内給気口、  １３  給気用送風機、  ２１  室外排気口、  ２２  バイパスダンパ、  ２３  シャッタ、  ３４  切欠部、  ３５  背面リブ、  ３６  段差部。
【図１】
0003656397.tif 000002
【図２】
0003656397.tif 000003
【図３】
0003656397.tif 000004
【図４】
0003656397.tif 000005
【図５】
0003656397.tif 000006
【図６】
0003656397.tif 000007
【図７】
0003656397.tif 000008
【図８】
0003656397.tif 000009
【図９】
0003656397.tif 000010
【図１０】
0003656397.tif 000011
【図１１】
0003656397.tif 000012
【図１２】
0003656397.tif 000013
【図１３】
0003656397.tif 000014
【図１４】
0003656397.tif 000015